(57)【要約】【課題】  フックを利用してガイドシャフトを固定する際、ガイドシャフトをラジアル方向の動きを規制するガイド壁の間に安定した状態で誘い込むことができるようにする。【解決手段】  ガイドシャフト４の端部を保持す保持部材５は、基台部７と、この基台部７の両側に相対向して立設する左右一対のガイド壁８Ａ,８Ｂと、基台部７の後端部に立設する可撓性を有するストッパ部９と、このストッパ部９の先端に設けたフック部１０を備える。一方のガイド壁８Ａは、ストッパ部９より高く形成され、ガイドシャフト４をフック部１０に係止するのに先立ってガイドシャフト４の周面をガイド壁８Ａに押し付けることが可能である。これにより、ガイドシャフト４をガイド壁８Ａに沿わせた状態でガイド壁８Ａ,８Ｂへと安定した状態で誘導することが可能となる。【選択図】      図１
2005276331.tif 000002
【特許請求の範囲】
【請求項１】
シャーシに一対の保持部材を設け、この少なくとも一方の保持部材は、前記ガイドシャフトを支持する支持部と、前記ガイドシャフトのラジアル方向の動きを規制する一対のガイド壁と、ガイドシャフトのスラスト方向の動きを規制する可撓性を有するストッパ部と、このストッパ部に形成されるフック部とを備え、前記ガイド壁間へのガイドシャフトの挿入時にガイドシャフトとフック部とを係合させ、該フック部と前記支持部とでガイドシャフトの上下方向の動きを規制するように構成したガイドシャフトの保持機構において、少なくとも前記一方のガイド壁を前記フック部より高く形成し、前記ガイドシャフトとフック部との係合時にガイドシャフトとガイド壁とを当接可能に設けたことを特徴とするガイドシャフトの保持機構。
【請求項２】
前記フック部が前記ガイドシャフトの端面と当接可能なテーパ状の傾斜面を有し、この傾斜面の下端部より少なくとも前記一方のガイド壁が高く形成されていることを特徴とする請求項１記載のガイドシャフトの保持機構。
【請求項３】
前記ガイドシャフトと前記フック部とが係合した状態で、少なくとも前記ガイドシャフトの挿入方向に向かって中心角が１２０度の前記ガイドシャフトの円周上にある接点より少なくとも前記一方のガイド壁を高く、好ましくは前記中心角が１８０度の前記ガイドシャフトの円周上にある接点より高く設定したことを特徴とする請求項１又は２記載のガイドシャフトの保持機構。
【請求項４】
前記請求項１又は２記載のガイドシャフトの保持機構を備えたディスク装置であって、記憶媒体への情報の記憶、或いは記憶媒体の情報を再生するピックアップを備え、該ピックアップを前記ガイドシャフトによって平行移動するように案内したことを特徴とするガイドシャフトの保持機構を備えたディスク装置。
【発明の詳細な説明】
【技術分野】
【０００１】
本発明は、ガイドシャフトの保持機構に係り、特に光ディスクなどの記憶媒体への情報の記憶、或いは記憶媒体の情報を再生するピックアップを平行移動させるガイドシャフトの保持機構及びそのガイドシャフトの保持機構を備えたディスク装置に関する。
【背景技術】
【０００２】
例えば、ディスク装置においては、ピックアップが備えられており、このピックアップは、シャーシに固定した一対のガイドシャフトに沿って光ディスクに半径方向に平行移動して例えば光ディスクなどの記憶媒体に記憶された情報の再生あるいは記憶媒体へ記憶するようにしている。このような、ピックアップ用のガイドシャフトをシャーシの固定するための技術として従来から種々の構造のものが提案され、例えば、特許文献１ではシャーシから基準片と押え片を折曲形成し、基準片にガイドシャフトの端部を突き当て状態で押え片を捻ってガイドシャフトの両端を保持するようにした技術が開示され、また、特許文献２では、シャーシに切り起しを設け、この切り起しにガイドシャフトの周面を突き当てるとともに、切り起しにガイドシャフトを押し付けるねじをシャーシに螺着し、このねじと切り起しとでガイドシャフトを保持するようにした技術が開示されている。
【０００３】
【特許文献１】実開平２−４６９６７号公報
【特許文献２】特開平７−５７４０４号公報
【発明の開示】
【発明が解決しようとする課題】
【０００４】
しかし、前記特許文献１のようにシャーシから一体形成した押え片を捻ってガイドシャフトを固定する方法は、基準片に対してガイドシャフトを位置決めし、さらに押え片の曲げ加工を行うといった煩わしい作業が必要であり、作業効率が悪いばかりでなく、ガイドシャフトの組付け後、ガイドシャフトを分解することが極めて困難である。この点、特許文献２のようにねじによってガイドシャフトを固定する方法は、ねじを取り外すことによってガイドシャフトの分解作業は比較的簡単に行うことができるが、ガイドシャフトの着脱時にねじの締め付けあるいは緩める必要があり作業性に劣るとともに、組付け部品点数も増加し、ねじの締め付け作業も伴うことから作業的にも非能率的である。
【０００５】
そこで、組付け部品点数を増やすことなく、ワンタッチでガイドシャフトを着脱できる方法として、例えば、弾性変形可能なフックを利用してガイドシャフトを固定するこが考えられる。このような、フックでガイドシャフトを固定する構造としては、例えば、図７に示すように、合成樹脂などによってガイドシャフトＳを保持する保持部材Ｈを設け、この保持部材Ｈに一対の規制部Ｈ１と、可撓性を有するストッパ部Ｈ２とを形成し、このストッパ部Ｈ２の先端側にフック部Ｈ３を一体的に形成する。そして、図７で二点鎖線で示すように、ガイドシャフトＳの端部をフック部Ｈ３に押し当て規制部Ｈ１の間に押し込むことによって、ガイドシャフトＳがフック部Ｈ３を乗り越えた時点でストッパ部Ｈ２を弾性復帰する。これにより、ガイドシャフトＳは、一対の規制部Ｈ１でラジアル方向の動きが規制されるとともに、ストッパ部Ｈ２でスラスト方向の動きを規制し、さらに、フック部Ｈ３と保持部材ＨとでガイドシャフトＳの上下方向の動きを規制することができる。
【０００６】
このように、フック部Ｈ３によってガイドシャフトＳを保持する構造においては、ガイドシャフトＳを規制部Ｈ１の間に押し込むといった簡単な操作で保持部材Ｈにワンタッチで固定でき、また、部品点数を増やすことなく、極めて簡単にガイドシャフトＳに組付けることができる。しかし、このようなフック部Ｈ３を利用した固定方法では、フック部Ｈ３を乗り越えたガイドシャフトＳが規制部Ｈ１に挿入され、その規制部Ｈ１の間に挿入したガイドシャフトＳをフック部Ｈ３によって上下方向の動きを規制する構造であるから、フック部Ｈ３の下部に規制部Ｈ１が位置することから、フック部Ｈ３とガイドシャフトＳと係合時において、ガイドシャフトＳを保持する部材がない。一方、フック部Ｈ３とガイドシャフトＳとの係合時においては、ストッパ部Ｈ２が外方に撓んで、その弾性復元力による押圧力がガイドシャフトＳに加わることから、図７で一点鎖線で示すように、ガイドシャフトＳがフック部Ｈ３から外れる左右方向に変動しやすく、ガイドシャフトＳを左右の規制部Ｈ１の間に安定した状態で誘い込むことができず、効率的な組付け作業が行えない、という課題を有している。
【０００７】
本発明は、上記課題に鑑みてなされたもので、フックを利用してガイドシャフトを簡単かつ容易に固定できるとともに、ガイドシャフトをラジアル方向の動きを規制する規制部材に安定した状態で誘い込むことができるガイドシャフトの保持機構及びそのガイドシャフトの保持機構を備えたディスク装置を提供することを目的とする。
【課題を解決するための手段】
【０００８】
本発明の請求項１のガイドシャフトの保持機構は、シャーシに一対の保持部材を設け、この少なくとも一方の保持部材は、前記ガイドシャフトを支持する支持部と、前記ガイドシャフトのラジアル方向の動きを規制する一対のガイド壁と、ガイドシャフトのスラスト方向の動きを規制する可撓性を有するストッパ部と、このストッパ部に形成されるフック部とを備え、前記ガイド壁間へのガイドシャフトの挿入時にガイドシャフトとフック部とを係合させ、該フック部と前記支持部とでガイドシャフトの上下方向の動きを規制するように構成したガイドシャフトの保持機構において、少なくとも前記一方のガイド壁を前記フック部より高く形成し、前記ガイドシャフトとフック部との係合時にガイドシャフトとガイド壁とを当接可能に設けたことを特徴とする。
【０００９】
請求項１の構成により、ガイドシャフトの端部をストッパ部のフック部に当接させ、さらに、ストッパ部とガイド壁の間に押し込む。このガイドシャフトとフック部との係合時において、ガイド壁がフック部より高く形成されているから、ガイドシャフトをストッパ部のフック部に係止するのに先立ってガイドシャフトの周面をガイド壁に押し付けた状態で下方に移動させてガイドシャフトの外端縁をフック部と突き当ることができる。このように、ガイド壁によってガイドシャフトを安定的に案内させた状態でガイドシャフトをフック部と係合させることができるからガイドシャフトとフック部との係合におけるガイドシャフトの変動が抑制される。そして、ガイドシャフトとフック部とが係合した状態でさらにガイドシャフトをガイド壁側に押し込むことによって、フック部が押されてストッパ部が外方に撓み、ガイドシャフトがフック部を乗り越えた時点でストッパ部が弾性復帰する。これにより、ガイドシャフトは左右のガイド壁に挟まれてラジアル方向の動きが規制され、さらに、復帰したフック部と支持部によってガイドシャフトの上下方向に動きが規制される。
【００１０】
請求項２のガイドシャフトの保持機構は、請求項１記載のガイドシャフトの保持機構において、前記フック部が前記ガイドシャフトの端面と当接可能なテーパ状の傾斜面を有し、この傾斜面の下端部より少なくとも前記一方のガイド壁が高く形成されていることを特徴とする。
【００１１】
請求項２の構成により、ガイドシャフトに最もフック部の押圧力が加わるフック部の下端部においては、ガイドシャフトがガイド壁によって支持される。
【００１２】
請求項３のガイドシャフトの保持機構は、請求項１又は２記載のガイドシャフトの保持機構において、前記ガイドシャフトと前記フック部とが係合した状態で、少なくとも前記ガイドシャフトの挿入方向に向かって中心角が１２０度の前記ガイドシャフトの円周上にある接点より少なくとも前記一方のガイド壁を高く、好ましくは前記中心角が１８０度の前記ガイドシャフトの円周上にある接点より高く設定したことを特徴とする。
【００１３】
請求項３の構成により、中心角が１２０度の前記ガイドシャフトの円周上にある接点より少なくとも前記一方のガイド壁を高く形成すれば、ガイドシャフトの下部略１／３はガイド壁に引っ掛かるから、ガイド壁によってガイドシャフトの横方向の変動を抑制することができる。また、ガイドシャフトの外れをより確実に抑制するには、ガイドシャフトとフック部との係合時において、ガイド壁の高さをガイドシャフトが最も太くなるガイドシャフトの直径、すなわち、中心角が１８０度のガイドシャフトの円周上にある接点と同一の高さに設定することが望まく、このように、中心角が１８０度のガイドシャフトの円周上にある接点と同一の高さに設定すれば、より確実にガイドシャフトの外れを抑制することが可能となる。
【００１４】
請求項４のガイドシャフトの保持機構を備えたディスク装置は、前記請求項１又は２記載のガイドシャフトの保持機構を備えたディスク装置であって、記憶媒体への情報の記憶、或いは記憶媒体の情報を再生するピックアップを備え、該ピックアップを前記ガイドシャフトによって平行移動するように案内したことを特徴とする。
【００１５】
請求項４の構成により、シャーシにガイドシャフトを組付け、このガイドシャフトに沿ってピックアップが記憶媒体の半径方向に平行移動し、記憶媒体への情報の記憶、或いは記憶媒体の情報を再生する。
【発明の効果】
【００１６】
本発明の請求項１のガイドシャフトの保持機構によれば、シャーシに一対の保持部材を設け、この少なくとも一方の保持部材は、前記ガイドシャフトを支持する支持部と、前記ガイドシャフトのラジアル方向の動きを規制する一対のガイド壁と、ガイドシャフトのスラスト方向の動きを規制する可撓性を有するストッパ部と、このストッパ部に形成されるフック部とを備え、前記ガイド壁間へのガイドシャフトの挿入時にガイドシャフトとフック部とを係合させ、該フック部と前記支持部とでガイドシャフトの上下方向の動きを規制するように構成したガイドシャフトの保持機構において、少なくとも前記一方のガイド壁を前記フック部より高く形成し、前記ガイドシャフトとフック部との係合時にガイドシャフトとガイド壁とを当接可能に設けたものであるから、ガイドシャフトをフック部に係止するのに先立ってガイドシャフトの周面をガイド壁に押し付けることが可能となり、ガイドシャフトをガイド壁に沿わせた状態でガイド壁へと安定した状態で誘導することができる。
【００１７】
本発明の請求項２のガイドシャフトの保持機構によれば、請求項１記載のガイドシャフトの保持機構において、前記フック部が前記ガイドシャフトの端面と当接可能なテーパ状の傾斜面を有し、この傾斜面の下端部より少なくとも前記一方のガイド壁が高く形成されているものであるから、ガイドシャフトに最もフック部の押圧力が加わるフック部の下端部においては、ガイドシャフトをガイド壁によって安定的に支持することができる。
【００１８】
請求項３のガイドシャフトの保持機構によれば、請求項１又は２記載のガイドシャフトの保持機構において、前記ガイドシャフトと前記フック部とが係合した状態で、少なくとも前記ガイドシャフトの挿入方向に向かって中心角が１２０度の前記ガイドシャフトの円周上にある接点より少なくとも前記一方のガイド壁を高く、好ましくは前記中心角が１８０度の前記ガイドシャフトの円周上にある接点より高く設定したものであるから、必要最低限のガイド壁の高さを維持しつつ、そのガイド壁によってガイドシャフトを安定的に支持することができる。
【００１９】
本発明の請求項４のガイドシャフトの保持機構を備えたディスク装置によれば、前記請求項１又は２記載のガイドシャフトの保持機構を備えたディスク装置であって、記憶媒体への情報の記憶、或いは記憶媒体の情報を再生するピックアップを備え、該ピックアップを前記ガイドシャフトによって平行移動するように案内したものであるから、ピックアップを備えたディスク装置において、ピックアップを案内するガイドシャフトを簡単かつ容易に固定することができる。
【発明を実施するための最良の形態】
【００２０】
以下、添付図面を参酌しながら、本発明を実施するための最良の形態としての実施例を説明する。
【００２１】
図１〜図５は、本発明の一実施例を示しており、同図において、１は金属性薄板を折曲して形成されるシャーシであり、シャーシ１にはピックアップレンズ２を備えたピックアップ３をガイドするための左右一対のガイドシャフト４が組み付けられている。このガイドシャフト４の両端を保持するために、前記シャーシ１には合成樹脂なら成る一対の保持部材５,６が一体的に固定され、一方の保持部材５は、基台部７と、この基台部７の両側に相対向して立設する左右一対のガイド壁８Ａ,８Ｂと、基台部７の後端部に立設する可撓性を有するストッパ部９と、このストッパ部９の先端に一体形成されるテーパ状の傾斜面１０Ａを備えた鉤状のフック部１０とで構成されている。なお、他方の保持部材６は単にガイドシャフト４の一端部を位置決めするものあり、詳細な説明は省略するが、ガイドシャフト４の一端部を保持する係合溝１４を有している。
【００２２】
前記ガイドシャフト４の端部を挿入するガイド壁８Ａ,８Ｂの間隔は、前記ガイドシャフト４の径より僅かに広く設定され、その内面前端に前記ガイドシャフト４を挟み付ける位置決め突起１１,１１が相対向して一体形成され、この突起１１,１１の間隔がガイドシャフト４の径とほぼ対応している。また、ガイド壁８Ａ,８Ｂはそれぞれ高さが異なり、一方のガイドガイド壁８Ａが他方のガイド壁８Ｂより高く形成され、かつ、これらガイド壁８Ａ,８Ｂは前記フック部１０を構成する傾斜面１０Ａの下端部１０Ｂより高く形成され、具体的には、図５に示すように、低いガイド壁８Ｂは、ガイドシャフト４がフック部１０の下端部１０Ｂに達した際、ガイドシャフト４の挿入方向に向かってガイドシャフト４の円周上にある中心角θが１２０度の接点Ｐとほぼ同一高さに設定され、高いガイド壁８Ａは、中心角θが１８０度の接点Ｐ１より高く設定されている。すなわち、フック部１０はテーパ状の傾斜面１０Ａから成り、その下端部１０Ｂにガイドシャフト４が達した時点でガイドシャフト４が受けるストッパ９の押圧力が最も強く作用することから、この状態でガイドシャフト４が安定することが望ましい。したがって、ガイドシャフト４がフック部１０の下端部１０Ｂに達した際、ガイド壁８Ｂの高さをガイドシャフト４の円周上にある中心角θが１２０度の接点Ｐとほぼ同一高さに設定すれば、ガイドシャフト４の下部略１／３はガイド壁８Ｂに引っ掛かかるから、ガイド壁８Ｂによってガイドシャフト４の左右方向の変動、つまり、フック部１０からのガイドシャフト４の外れを抑制することが可能である。ここで、ガイドシャフト４の外れをより確実に抑制するには、ガイドシャフト４がフック部１０の下端部１０Ｂに達した際、ガイドシャフト４が最も太くなるガイドシャフト４の直径、すなわち、中心角θが１８０度のガイドシャフト４の円周上にある接点Ｐ１と同一の高さに設定することが望ましく、さらに、その接点Ｐ１より高く設定したガイド壁８Ａにあっては、フック部１０とガイドシャフト４との係合時において、フック部１０からガイドシャフト４が外れることはない。なお、前記シャーシ１には前記ガイドシャフト４の支持部となる調整ねじ１５が前記基台部７を貫通して螺着され、その先端にガイドシャフト４が載置される。このガイドシャフト４にはガイドシャフト４の組み付け後、図示しないコイルバネが連結され、このコイルバネによって保持部材５で保持したガイドシャフト４が調整ねじ１５に押し付けられる。
【００２３】
次に、ガイドシャフト４の組付け手順について説明すると、先ずガイドシャフト４の一端を保持部材６の係合溝１４に挿入した状態でガイドシャフト４の他端側をストッパ部９のフック部１０に当接させ、さらに、ガイドシャフト４をガイド壁８Ａ,８Ｂの間に押し込む。このガイドシャフト４とフック部１０との係合時において、一方のガイド壁８Ａは、ガイドシャフト４の挿入方向に向かってガイドシャフト４の円周上にある中心角θが１８０度の接点Ｐ１より高く設定され、ガイドシャフト４をストッパ部９のフック部１０に係止するのに先立ってガイドシャフト４の周面をガイド壁８Ａに押し付けた状態で下方に移動させてガイドシャフト４の外端縁をフック部１０と突き当ることができる。したがって、ガイド壁８Ａに沿わせながらガイドシャフト４をフック部１０と当接されることができる。このように、ガイド壁８Ａによってガイドシャフト４を安定的に案内させた状態でガイドシャフト４をフック部１０と係合させることができるとともに、ガイドシャフト４に最もフック部１０の押圧力が加わるフック部１０の下端部においては、中心角θが１２０度の接点Ｐとほぼ同一高さに設定されたガイド壁８Ｂと、それより高いガイド壁８Ａとでガイドシャフト４が挟まれ、ガイドシャフト４の下部略１／３はガイド壁８Ｂに引っ掛かるから、これらガイド壁８Ａ,８Ｂによってガイドシャフト４の左右方向の変動を確実に防止することができる。このように、ガイド壁８Ａ,８Ｂによって安定的に案内された状態でガイドシャフト４を下方に押し込むことによって、図３（ａ）で示すように、フック部１０が押されてストッパ部９が外方に撓み、ガイドシャフト４がフック部１０を乗り越えると、図４（ａ）で示すように、ストッパ部９の弾性復元力によってストッパ部９が復帰する。これにより、ガイドシャフト４は左右のガイド壁８Ａ,８Ｂの内面に形成する位置決め突起１１に挟まれてラジアル方向の動きが規制され、さらに、復帰したフック部１０と調整ねじ１５によってガイドシャフト４の上下方向に動きが規制される。このようにして、シャーシ１にガイドシャフト４を組み付けた後、図示しないコイルバネをガイドシャフト４とシャーシ１との間に連結し、このコイルバネによってガイドシャフト４が調整ねじ１５に押し付けられる。これにより、ディスク装置の組み立てラインなどにおいては、ターンテーブル及びピックアップ３等の組み付けが終了した後、調整ねじ１５によってレーザ光の角度が規定値となるようにディスクに対するガイドシャフト４の距離（高さ位置）及び傾きを調整することができる。
【００２４】
以上のように本実施例においては、ガイドシャフト４をシャーシ１に固定する際、ガイドシャフト４の一端をフック部１０に押し付けるといった極めて簡単な操作でガイドシャフト４を簡単に固定することができ、また、固定ねじなどの部品も不要であるから、部品点数も削減することができる。また、ガイドシャフト４をフック１０に係合する際、ガイドシャフト４をフック１０より高く形成されてガイド壁８Ａに沿わせた状態でフック１０に押し付けることができるとともに、フック１０から最も強い押圧力を受けるガイドシャフト４に最もフック部１０の押圧力が加わるフック部１０の下端部においては、中心角θが１２０度の接点Ｐとほぼ同一高さに設定されたガイド壁８Ｂとガイド壁８Ａとでガイドシャフト４が挟まれ、ガイドシャフト４の下部略１／３はガイド壁８Ｂに引っ掛かかるから、これらガイド壁８Ａ,８Ｂによってガイドシャフト４がフック部１０から外れることなく、ガイドシャフト４を左右のガイド壁８Ａ,８Ｂの間に安定した状態で誘い込むことができる。このように、ガイドシャフト４とフック部１０との係合時における安定性が向上されることにより、組付け作業時を簡略化でき、作業効率を高めることができる。また、一方のガイド壁８Ｂは、必要最低限の高さとすることにより、保持部材５をコンパクトに小型化できるとともに、他の周辺機器との干渉も抑制することができる。
【００２５】
以上、本発明の一実施例について詳述したが、本発明は前記一実施例に限定されるものではなく、本発明の要旨の範囲内で種々の変形実施が可能である。例えば、前記実施例においては、一方のガイド壁８Ｂを他方のガイド壁８Ａより低く形成した例を示したが、図６に示すように、両方のガイド壁８Ａ,８Ｂをフック部１０より高く形成するようにしてもよい。さらに、必ずしも各ガイド壁８Ａ,８Ｂをフック部１０より高く形成する必要はなく、少なくとも何れか一方をフック部１０より高く形成すればよい。また、前記実施例では、ガイドシャフト４を上方側から挿入した例を示したが、側方から挿入する構造であってもよく、ガイドシャフト４を支持する保持部材５,６における構成各部の位置関係や形状といった基本的構造は前記実施例に限定されるものはなく、適宜選定すればよいものである。さらに、前記実施例では、ディスク装置に適用した場合を例にして説明したが、種々の電子機器に広く適用可能である。
【図面の簡単な説明】
【００２６】
【図１】本発明の一実施例を示す保持部材付近の斜視図である。
【図２】同上、シャーシの平面図である。
【図３】同上、ガイドシャフトの組付け途中の状態を示しており、図３（ａ）は側面方向から見た断面図、図３（ｂ）は正面方向から見た断面図である。
【図４】同上、ガイドシャフトの組付け状態を示しており、図４（ａ）は側面方向から見た断面図、図４（ｂ）は正面方向から見た断面図である。
【図５】同上、ガイドシャフトに対するガイド壁の高さを示す説明図である。
【図６】同上、両方のガイド壁を高く形成した変形例を示す断面図である。
【図７】従来のフック構造を用いてガイドシャフトを固定した例を示す断面図である。
【符号の説明】
【００２７】
１  シャーシ
３  ピックアップ
４  ガイドシャフト
５,６  保持部材
８Ａ,８Ｂ  ガイド壁
９  ストッパ部
１０  フック部
１０Ａ  傾斜面
１０Ｂ  下端部
θ  中心角
Ｐ，Ｐ１  接点
【図１】
2005276331.tif 000003
【図２】
2005276331.tif 000004
【図３】
2005276331.tif 000005
【図４】
2005276331.tif 000006
【図５】
2005276331.tif 000007
【図６】
2005276331.tif 000008
【図７】
2005276331.tif 000009